(57)【要約】【課題】カラー画像形成装置において、現像中に現像器内に蓄電された静電荷を、現像処理後、次回現像処理再開までに放電させる。【解決手段】カラー画像形成装置の現像器保持体１００内に、現像処理位置で現像器１０３へ高電圧を印加するための接点１０２と、非現像位置で現像器内の残留電荷を除電するための接点１０５をそれぞれ有する。接点１０５には残留電荷除電体３００が接続している。現像処理後、現像処理後の現像器１０３を除電用の接点１０５に接触停止させることにより、現像中に現像器１０３内に蓄電された静電荷を、残留電荷除電体３００を通じて、次回現像処理再開までに放電させる。【選択図】　　　　図２
2004109944.tif 000002
【特許請求の範囲】
【請求項１】
感光体上に潜像を形成し、該感光体上の潜像に対して現像器保持体に保持されている複数の現像器の中で選択された現像器を用いて現像剤で現像を行い、該感光体上に現像された画像を、回転駆動される無端状坦持体上に坦持される転写材もしくは該無端状坦持体上に転写を行う電子写真方式の画像形成装置において、
現像位置で前記選択された現像器へ高電圧を印加するための第１の接点と非現像位置で当該現像器内の残留電荷を除電するための第２の接点を前記現像器保持体内に備え、
現像終了後、現像処理後の現像器を除電用の前記第２の接点に接触停止させることにより、現像中に前記現像器内に蓄電された静電荷であって、現像終了後放電しきれなかった静電荷を、前記第２の接点を通じて、次回の現像処理開始までに放電させることを特徴とする画像形成装置。
【請求項２】
各前記現像器はそれぞれ現像剤漏れ抑制体を有し、本体接点である第３の接点を通じて、該現像剤漏れ抑制体に帯電済みの現像剤と同極性の電圧を印加することを特徴とする請求項１に記載の画像形成装置。
【請求項３】
前記感光体上に潜像を形成する前に、または前記感光体上の潜像に対して現像器で現像を行う前に、現像を行うべき現像器が選択され、前記現像器保持体が回転もしくは移動することにより、該選択された現像器が前記感光体と対面する現像位置に移動することを特徴とする請求項１または２に記載の画像形成装置。
【請求項４】
前記現像器保持体が回転もしくは移動することにより、該現像器保持体内の現像器の接点が本体接点である前記第１の接点、並びに前記第２の接点と順次接離することを特徴とする請求項１ないし３のいずれかに記載の画像形成装置。
【請求項５】
残留電荷の除電用の前記第２の接点は、他の現像器が現像位置に停止中に、除電すべき所望の現像器が接触できる位置に配置されていることを特徴とする請求項１ないし４のいずれかに記載の画像形成装置。
【請求項６】
前記第２の接点が、前記現像器保持体外の装置本体に設置した放電用の残留電荷除電体に接続されていることを特徴とする請求項１ないし５のいずれかに記載の画像形成装置。
【請求項７】
前記残留電荷除電体として、気中除電可能な部材を用いることを特徴とする請求項６に記載の画像形成装置。
【請求項８】
前記残留電荷除電体として、一端が接地され他端が前記第２の接点と接続する高負荷部材を用いることを特徴とする請求項６に記載の画像形成装置。
【請求項９】
前記残留電荷除電体として、一端が抵抗を介して接地され他端が前記第２の接点と接続する高負荷部材を用いることを特徴とする請求項６に記載の画像形成装置。
【請求項１０】
前記残留電荷除電体として、一端が並列接続の抵抗およびコンデンサを介して接地され他端が前記第２の接点と接続する高負荷部材を用いることを特徴とする請求項６に記載の画像形成装置。
【請求項１１】
前記残留電荷除電体として、一端が直列接続の抵抗とツェナーダイオードを介して接地され他端が前記第２の接点と接続する高負荷部材を用いることを特徴とする請求項６に記載の画像形成装置。
【請求項１２】
前記残留電荷除電体として、一端が接地され他端が前記第２の接点と接続する複数の電気素子からなる合成負荷部材を用いることを特徴とする請求項６に記載の画像形成装置。
【請求項１３】
前記感光体上の前記潜像は、ホスト装置またはスキャナから送出されてくる画像情報に対応するレーザビーム走査、またはＬＥＤ（発光ダイオード）発光によって形成されることを特徴とする請求項１ないし１２のいずれかに記載の画像形成装置。
【請求項１４】
前記画像形成装置が前記転写材上にカラー画像を形成する多色画像形成装置であることを特徴とする請求項１ないし１３のいずれかに記載の画像形成装置。
【請求項１５】
前記画像形成装置が通信機能と情報処理機能を有する多機能カラー複写装置であることを特徴とする請求項１ないし１３のいずれかに記載の画像形成装置。
【請求項１６】
感光体上に潜像を形成し、該感光体上の潜像に対して現像器保持体に保持されている複数の現像器の中で選択された現像器を用いて現像剤で現像を行い、該感光体上に現像された画像を、回転駆動される無端状坦持体上に坦持される転写材もしくは該無端状坦持体上に転写を行う電子写真方式の画像形成装置の現像装置であって、
現像位置で前記選択された現像器へ高電圧を印加するための第１の接点と非現像位置で当該現像器内の残留電荷を除電するための第２の接点を前記現像器保持体内に備え、
現像終了後、現像処理後の現像器を除電用の前記第２の接点に接触停止させることにより、現像中に前記現像器内に蓄電された静電荷であって、現像終了後放電しきれなかった静電荷を、前記第２の接点を通じて、次回の現像処理開始までに放電させることを特徴とする現像装置。
【請求項１７】
各前記現像器はそれぞれ現像剤漏れ抑制体を有し、本体接点である第３の接点を通じて、該現像剤漏れ抑制体に帯電済みの現像剤と同極性の電圧を印加することを特徴とする請求項１６に記載の現像装置。
【請求項１８】
感光体上に潜像を形成し、該感光体上の潜像に対して現像器保持体に保持されている複数の現像器の中で選択された現像器を用いて現像剤で現像を行い、該感光体上に現像された画像を、回転駆動される無端状坦持体上に坦持される転写材もしくは該無端状坦持体上に転写を行う電子写真方式の画像形成装置の現像方法であって、
現像位置で前記選択された現像器へ前記現像器保持体内に備えた第１の接点から高電圧を印加する工程と、
現像終了後、現像処理後の現像器を、前記現像器保持体内に備えた現像器内の残留電荷を除電するための第２の接点に接触停止させることにより、現像中に前記現像器内に蓄電された静電荷であって、現像終了後放電しきれなかった静電荷を、前記第２の接点を通じて、次回の現像処理開始までに放電させる工程と
を有することを特徴とする現像方法。
【請求項１９】
各前記現像器にそれぞれ設けた現像剤漏れ抑制体に、本体接点である第３の接点を通じて、帯電済みの現像剤と同極性の電圧を印加する工程を更に有することを特徴とする請求項１８に記載の現像方法。
【発明の詳細な説明】
【０００１】
【発明の属する技術分野】
本発明はパーソナルコンピュータや原稿読取装置等から送出されてくる画像情報に対応した画像を用紙上に形成する画像形成装置に関し、特に現像器保持体上に保持されている複数の現像器内の現像剤を、潜像と電界作用によって感光体上に選択的に転移させる現像装置を有する電子写真方式の画像形成装置および現像装置、並びに現像方法に関する。
【０００２】
【従来の技術】
感光体上に形成された潜像を現像剤により可視画像とする現像器としては、図９の一部切り欠きで示す模式図に示すように、現像剤を表面に担持しながら回転中の現像剤担持体１００に電力供給源１０１から接触子１０２を介して高電圧が印加され、感光ドラム表面（図示せず）と現像剤担持体１００の表面の電界作用により、現像剤担持体表面に担持されている現像剤を感光体上に形成されている潜像に転移させ、その潜像の可視画像化を行う現像器１０３が一般的である。
【０００３】
このような現像器１０３において、現像処理中は、接触子１０２，１０２が互いに接触し、電力供給源１０１から現像剤担持体１００に電圧が印加されることにより、感光体上の潜像が可視画像とされ、また現像処理終了後は接触子１０２，１０２が互いに離間して電力供給源１０１からの電圧の印加が中断されていた。
【０００４】
しかしながら、現在カラーＬＢＰ（レーザービームプリンタ）において、高精細、高解像度の技術革新のため、現像に用いる現像剤の小径化、球形化の進行に伴い、小粒径現像剤等の十分な帯電が困難となる傾向が現れ、現像剤担持体１００の軸方向における現像剤担持体１００の両端部表面及び、現像器１３０の本体の間に形成された空間から帯電不十分な小粒径現像剤が漏れる、もしくは吹き出しが生じる恐れがあったことから、その現像剤漏れの抑制が望まれていた。
【０００５】
そのため、例えば現像器内にも現像剤の現像器端部からの吹き出しや、現像剤のすり抜けによる現像剤の落下（もれ）対策のため、以下で説明する図１０、または図１１に示すような対策が提案され実施されている。
【０００６】
まず、図１０に示す現像剤漏れ対策の第１の手法を説明する。諸現像剤対策部材（以下、トナー諸対策ローラと記す）２００が現像剤担持体（以下、現像スリーブローラと記す）１００の長手方向に沿って平行に両端部が接触して中間部が近接した状態で配置されている。そして、ＡＣ高圧印加時に、ダイオード２０２を介して、正極性を抑制した電圧にコンデンサ２０１を用いて平滑化された電圧を、トナー諸対策ローラ２００と現像スリーブローラ１００とに同時に印加させる。このトナー諸対策ローラ２００に上記電圧が印加されることにより、当その現像器を用いての画像形成中に現像器スリーブローラ１００とトナー諸対策ローラ２００の接触している部分にトナーが付着することなく、前述のトナー諸問題の解消が図られる。
【０００７】
次に、別の第２の手法として図１１の構成を説明する。トナー漏れ抑制ブレード２２０が現像スリーブローラ１００の長手方向に沿って平行に近接した状態で配置されている。そして、ＡＣ高圧印加時に、トナー漏れ抑制ブレード２２０に対して、現像器スリーブローラ１００に印加する高圧と同極性のバイアスを印加することにより、上記第１の手法と同様な効果をもたせることができる。
【０００８】
【特許文献１】
特開平１１−２９５９８５号公報
【０００９】
【発明が解決しようとする課題】
従来のカラーＬＢＰにおいては、図１２中の現像器選択機構部１０８に保持されている各色現像器には、現像を行うための高圧接点１０２が少なくとも１つ以上存在し、各色現像器の１つが選択されて現像を行う際にその現像位置に移動したとき、上記接点１０２が本体の接点１０２と接することにより、現像器選択機構部１０８に保持されている現像器の１つに高圧印加が可能になる。ところが、図１０で示すような対策をした際には、図１０のＸで示す位置の電位が十分に減衰する前に、従来例のようにカラー現像を行う際に次の現像器を選択するために現像器接点を離間した場合は、両接触子１０２，１０２のうち現像装置本体側の接触子が電気的にフロート状態になり、図１０のＸで示す位置の電位及び位置Ｙの間に電位差が生じてしまい、その後に現像器が再び現像位置に移動して両接触子１０２、１０２が接触する際には、位置Ｚと位置Ｙとの間にも電位差が生じるために、安全面における改善が求められていた。この問題については改善した構成が提案されているが（例えば、特許文献１参照）、この提案のものは各現像器内に除電体を有しているのでコストが高くなっている。
【００１０】
また、図１１に示すように、トナー漏れ抑制ブレード２２０に対しても高圧を印加して画像形成を行う現像器についても、さらに図９のように高圧を印加する漏れ抑制部材がない現像器においても、現像中に帯電されているトナーにより次の現像器を選択するために現像器接点を離間した場合、通常ではその帯電しているトナーは十分減衰することなく、現像器内に残留する。そのため、現像スリーブローラ１００に残留トナーの帯電している電荷量に応じた電位が発生してしまい、前述と同様に現像器が再び現像位置に移動し、両接触子１０２、１０２が接触する際には、位置Ｚと位置Ｙとの間にも電位差が生じるため、上述と同様の改善が求められていた。
【００１１】
そこで、本発明は、電圧印加可能な現像剤の吹き出し及び、現像剤漏れ抑制体への現像剤の吸着を抑制可能にすると共に、現像処理後における現像体担持体、もしくは現像剤漏れ抑制体の残留電荷を十分に除電可能な現像装置を備える画像形成装置および現像装置、並びに現像方法を提供することを目的とする。
【００１２】
【課題を解決するための手段】
上記目的を達成するため、本発明の画像形成装置は、感光体上に潜像を形成し、該感光体上の潜像に対して現像器保持体に保持されている複数の現像器の中で選択された現像器を用いて現像剤で現像を行い、該感光体上に現像された画像を、回転駆動される無端状坦持体上に坦持される転写材もしくは該無端状坦持体上に転写を行う電子写真方式の画像形成装置であって、現像位置で前記選択された現像器へ高電圧を印加するための第１の接点と非現像位置で当該現像器内の残留電荷を除電するための第２の接点を前記現像器保持体内に備え、現像終了後、現像処理後の現像器を除電用の前記第２の接点に接触停止させることにより、現像中に前記現像器内に蓄電された静電荷であって、現像終了後放電しきれなかった静電荷を、前記第２の接点を通じて、次回の現像処理開始までに放電させることを特徴とする。
【００１３】
ここで、好ましくは、各前記現像器はそれぞれ現像剤漏れ抑制体を有し、本体接点である第３の接点を通じて、該現像剤漏れ抑制体に帯電済みの現像剤と同極性の電圧を印加する。
【００１４】
また、好ましくは、前記感光体上に潜像を形成する前に、または前記感光体上の潜像に対して現像器で現像を行う前に、現像を行うべき現像器が選択され、前記現像器保持体が回転もしくは移動することにより、該選択された現像器が前記感光体と対面する現像位置に移動する。
【００１５】
また、好ましくは、前記現像器保持体が回転もしくは移動することにより、該現像器保持体内の現像器の接点が本体接点である前記第１の接点、並びに前記第２の接点と順次接離する。
【００１６】
また、好ましくは、残留電荷の除電用の前記第２の接点は、他の現像器が現像位置に停止中に、除電すべき所望の現像器が接触できる位置に配置されている。
【００１７】
また、好ましくは、前記第２の接点が、前記現像器保持体外の装置本体に設置した放電用の残留電荷除電体に接続されている。
【００１８】
また、好ましくは、前記残留電荷除電体として、気中除電可能な部材を用いる。
【００１９】
また、好ましくは、前記残留電荷除電体として、一端が接地され他端が前記第２の接点と接続する高負荷部材を用いる。
【００２０】
また、好ましくは、前記残留電荷除電体として、一端が抵抗を介して接地され他端が前記第２の接点と接続する高負荷部材を用いる。
【００２１】
また、好ましくは、前記残留電荷除電体として、一端が並列接続の抵抗およびコンデンサを介して接地され他端が前記第２の接点と接続する高負荷部材を用いる。
【００２２】
また、好ましくは、前記残留電荷除電体として、一端が直列接続の抵抗とツェナーダイオードを介して接地され他端が前記第２の接点と接続する高負荷部材を用いる。
【００２３】
また、好ましくは、前記残留電荷除電体として、一端が接地され他端が前記第２の接点と接続する複数の電気素子からなる合成負荷部材を用いる。
【００２４】
【発明の実施の形態】
以下、図面を参照して本発明の実施の形態を詳細に説明する。
（第１の実施形態）
まず、図１に本発明を適用した画像形成装置の構成の一例を示す。本例ではカラーＬＢＰ（レーザビームプリンタ）について説明する。図１において、光学ユニット９から各色毎に送出される画像情報に対応のレーザビーム光Ｌにより、感光ドラム２上に形成された潜像は、現像器選択機構部１０８に保持されている各色現像器１０３Ｙ、１０３Ｍ、１０３Ｃ、１０３Ｋのトナーにより現像化されて、像坦持体５上に複数回転写されて、像坦持体５上に多色画像が形成される。その後、転写材（例えば、用紙）Ｐを像坦持体５と転写及び搬送ベルト６の間に搬送させ、転写材Ｐに像坦持体５上の多色画像を転写させる。転写材Ｐ上に転写させた多色画像は、定着ユニット７で転写材Ｐ上に熱定着させられる。その後、転写材Ｐは搬送され、上部トレイ部１９または下部排紙トレイ部２０に排出される。
【００２５】
次に、上記カラーＬＢＰの動作について具体的に説明する。まず、帯電器８によって感光ドラム２が所定の極性に均一に帯電（例えば−６００Ｖ）され、レーザビーム光Ｌによる露光により感光ドラム２上に潜像が形成され、例えばＭ（マゼンタ）色現像器１０３Ｍにより感光ドラム２上の潜像が現像され、感光ドラム２上に例えばＭ（マゼンタ）色の第１の現像剤像が形成される。一方、所定のタイミングで現像剤像と反対極性（例えばプラス極性）の１次転写高圧（例えば＋２００Ｖ）が像坦持体５に印加され、感光ドラム上の第１の現像剤像が像坦持体５に転写される。その後、感光ドラム２上に残留する第１の現像剤はクリーナ１１によって除去され、次の潜像形成及び現像工程に備える。
【００２６】
第１の現像色が終了したのち、感光ドラム２上にレーザビーム光Ｌにより、第２色（例えばイエロー）の潜像が形成され、第２の現像器１０３Ｙにより現像剤像が形成される。そして、この第２の現像剤像は、先に像坦持体５に転写された第１の現像剤像の位置に合わせて像坦持体５に前述と同様に転写される。
【００２７】
同様にして第３、第４の潜像が感光ドラム２上に順次形成され、それぞれが第３の現像器１０３Ｋ、第４の現像器１０３Ｃによって順次現像され、像坦持体５に先に転写された現像剤像と位置を合わせて、第３、第４の各現像剤像が順次転写され、かくして、像坦持体５上に４色の現像剤像が重なった状態で形成されることになる。
【００２８】
この後、４色の現像剤像が重畳転写された像坦持体５の画像先端部が転写材転写位置に近づくと、転写及び搬送ベルト６へ高圧（例えば＋２ＫＶ）を印加し、転写及び搬送ベルト６を像坦持体５に接触させる。その後、像坦持体５と転写及び搬送ベルト６間に、転写材保持体１２、１３、１４、１５又は１６のいずれか１つからピックアップした転写材Ｐを搬送させて、像坦持体５の４色の現像剤像を転写材Ｐへ転写を行う。さらに転写及び搬送ベルト６後部に配置した除電針１７に、転写及び搬送ベルト６に印加したバイアスの逆極性（例えば−１ＫＶ）もしくは接地させ、転写材Ｐの後端が像坦持体５を離れるまで作動し、転写材Ｐ上の蓄積電荷（現像剤と逆極性）を除去する。なお、転写材Ｐの後端が転写終了位置（像坦持体５と転写及び搬送ベルト６が形成するニップ部の出口）に達したとき、像坦持体５に印加する１次転写高圧をオフ（接地電位）にする。さらに、転写材Ｐの後端が転写及び搬送ベルト６、除電針７に印加していた高圧をオフにする。また、転写及び搬送ベルト６は像坦持体５から離間させる。
【００２９】
次に、転写及び搬送ベルト６より分離した転写材Ｐは定着ユニット７に搬送され、ここで転写材上の現像剤像を熱定着させ、下部排紙トレイ２０もしくは上部排紙トレイ１９上に排出される。
【００３０】
なお、像坦持体５から転写材Ｐへの転写が始まり、転写後の転写部の先端がクリーニングローラ１８に近づくと、クリーニングローラ１８は像坦持体５に接触させられる。このクリーニングローラ１８には、転写及び搬送ベルト６と同極性のバイアスを印加させ、像坦持体５上の転写残現像剤をクリーニングローラ１８に異極性の現像剤を引き寄せてクリーニングを行い、また同極性の現像剤はより電荷を与えることにより、感光ドラム２へ再転写させ、感光ドラム２上に残留する現像剤はクリーナ１１によって除去され、像坦持体５の次のプリントシーケンスに備える。
【００３１】
転写材Ｐに両面プリントを行う際は、マルチ給紙トレイ１２に上記のプリントシーケンスを終えた転写材Ｐを、その定着した面を裏面にして載せて上記のプリントシーケンスを再び行うか、もしくは、上記のプリントシーケンスの転写材Ｐ上の現像剤像を定着後、両面ユニット側へ転写材を搬送し、両面ユニットのスイッチバックローラ２１を紙送り方向に回転させることにより、転写材Ｐを保持し、転写材Ｐの後端がスイッチバックローラに差し掛かる前に、スイッチバックローラ２１を上記と逆方向に回転させ、定着ユニット７の下部の両面用の転写材搬送経路８０へ転写材Ｐを搬送する。その後、両面ユニットから転写材Ｐをピックアップして、上記のプリントシーケンスを行った後、両面に現像剤画像を定着させられた転写材Ｐは、下部排紙トレイ２０もしくは上部排紙トレイ１９上に排出される。
【００３２】
以上が本発明を適用したカラーＬＢＰにおけるプリント工程の概要である。
【００３３】
次に、現像器１０３Ｙに関して図２に基づき説明を行い、以下他の現像器１０３Ｃ，１０３Ｍ，１０３Ｋの概略構成については、現像器１０３Ｙと同様であることから図２に代えて説明を省略する。
【００３４】
図２は現像ロータリ１０と現像器１０３（Ｙ，Ｍ，Ｃ，Ｋ）の概略構成を示す模式的斜視図である。現像器１０３Ｙは、現像剤担持体であるローラ状の回転自在な現像スリーブローラ１００Ｙを備えており、この現像スリーブローラ１００Ｙは、現像ロータリ１０の回転による現像処理実行位置Ａへの位置設定に伴い、図１で説明した感光ドラム２と対面し、また、現像スリーブローラ１００Ｙに、図２に示すように、接点１０２を介して電圧印加体１０１から電圧を印加することができる。
【００３５】
即ち、現像スリーブローラ１００Ｙへの電力供給源１０１から重畳電圧印加（もしくは一定電圧印加のみ）により、感光ドラム２と現像スリーブローラ１００Ｙとの間に電位差による電場が生成され、帯電済みの現像剤がその電場作用を受けて現像スリーブローラ１００Ｙの表面から感光ドラム２の表面に像形成が行われている部分に選択的に吸着されることにより、感光ドラム２表面上に潜像の可視画像化が行われるようになっている。
【００３６】
即ち、本実施形態においては、例えばイエロー潜像の可視化画像化終了に基づき、現像器１０３Ｙが上記の現像処理実行位置Ａから退避し、接触子１０２，１０２Ｙが互いに離間しあうことにより，現像器１０３Ｙ内に電荷残留が生じるが、次色の潜像開始可視化開始のため，（例えばブラック潜像）現像器１０３Ｋが現像ロータリ１０の回転により現像処理実行位置Ａへ移動し停止する際、現像器１０３Ｙが残留電荷除電位置Ｂへ移動し、接触子１０５，１０５Ｙが互いに接触停止することにより、現像器１０３Ｙ内の残留電荷は、接触子１０５と接続されている残留電荷除電体３００を介して除電されるようになっている。
【００３７】
これにより、本実施形態においては、現像処理後の現像器内の残留電荷を、現像処理再開までに十分に除電でき、その結果、現像処理再開に伴う接触子１０２，１０２Ｙ（１０２Ｃ，１０２Ｍ，１０２Ｋ）の接触による火花放電の発生を確実に防ぐことができる。また、従来の各現像器内に有していた除電機構を画像形成装置本体で有することにより、各現像器等の消耗品のコストを低減させることができる。
【００３８】
なお、本発明に係る諸数値は説明便宜のための数値であって、本実施形態の範囲内において設定自由であることは言うまでもない。
【００３９】
（第２の実施形態）
次に、本発明の第２の実施形態を、図３の現像ロータリ１０と現像器１０３（Ｙ，Ｍ，Ｃ，Ｋ）の概略構成を示す模式的斜視図を参照して説明する。なお、本実施形態の画像形成装置の全体の概略構成は、第１の実施形態で説明した図１の構成と同様であるので、その説明を省略する。また、現像器１０３Ｙに関して図３に基づき説明を行い、以下他の現像器１０３Ｃ，１０３Ｍ，１０３Ｋの概略構成については、現像器１０３Ｙと同様であることから図３に代えて説明を省略する。
【００４０】
図３に示すように、本実施形態の現像器１０３Ｙは、現像剤担持体であるローラ状の回転自在な現像スリーブローラ１００Ｙと、現像剤漏れ抑制体である一対のローラ状の現像コロ２７Ｙ、２７Ｙとを備えており、現像スリーブローラ１００Ｙは、現像ロータリ１０の回転による現像処理実行位置Ａへの位置設定に伴い、図１で説明した感光ドラム２と対面し、また現像スリーブローラ１００Ｙに、図３に示すように、接点１０２ａを介して電圧印加体（電圧供給源）１０１から電圧を印加することができる。さらに、現像コロ２７Ｙ、２７Ｙへは別の接点１０２ｂを介して別の電圧印加体（電圧供給源）１１１から電荷を印加することができる。
【００４１】
現像コロ２７Ｙ、２７Ｙは、それぞれ現像スリーブ軸方向における現像スリーブ両端部表面に当接又は近接配置され、現像剤の吹き出しを抑制すると共に、帯電済みの現像剤と同極性の電圧が印加されて、各現像コロ２７Ｙ、２７Ｙへの現像剤吸着の抑制が図られている。
【００４２】
すなわち、本実施形態においては、現像剤が負極性を有することから、図３に示すように、電圧供給源１１１から現像コロ２７Ｙ、２７Ｙに負極性の電圧が印加されることで、負極性化した現像剤等の各現像コロ２７Ｙ、２７Ｙへの吸着が抑制される。
【００４３】
さらに、本実施形態においては、例えばイエロー潜像の可視化画像化終了に基づき、現像器１０３Ｙが前述の現像処理実行位置Ａから退避し、接触子１０２ａ，１０２Ｙａ、並びに接触子１０２ｂ，１０２Ｙｂが互いに離間しあうことにより、現像器１０３Ｙ内に電荷残留が生じるが、次色の潜像開始可視化開始のため（例えばブラック潜像）現像器１０３Ｋが現像ロータリ１０の回転により現像処理実行位置Ａへ移動し停止する際、現像器１０３Ｙが残留電荷除電位置Ｂへ移動し、接触子１０５ａ，１０２Ｙａ、接触子１０５ｂ，１０２Ｙｂが互いに接触停止することにより、現像器１０３Ｙ内の残留電荷は、接触子１０５ａ，１０５ｂと接続されている残留電荷除電体３００を介して除電されるようになっている。
【００４４】
よって、本実施形態においては、第１の実施形態と同様の効果が得られると共に、現像処理時に現像剤の漏れもしくは吹き出し、更に吸着抑制を維持することができるという利点が得られる。
【００４５】
なお、本実施形態では現像剤漏れ抑制体としてローラ状の現像コロを例として説明したが、これに代えて、板状、弾性材等他のいかなる形状や材質の置換手法においても、同様な機能を発揮する限り、本実施形態の範囲内において設定自由であることは言うまでもない。
【００４６】
（第３の実施形態）
次に、本発明の第３の実施形態を、図４の現像ロータリ１０と現像器１０３（Ｙ，Ｍ，Ｃ，Ｋ）の概略構成を示す模式的斜視図を参照して説明する。なお、本実施形態の画像形成装置の全体の概略構成は、第１の実施形態で説明した図１の構成と同様であるので、その説明を省略する。また、現像器１０３Ｙに関して図４に基づき説明を行い、以下他の現像器１０３Ｃ，１０３Ｍ，１０３Ｋの概略構成については、現像器１０３Ｙと同様であることから図４に代えて説明を省略する。また、以下第２の実施形態と共通個所は図３と同符号を付与することにより説明を省略する。
【００４７】
図４に示すように、本実施形態の現像器１０３Ｙは、現像剤担持体であるローラ状の回転自在な現像スリーブローラ１００Ｙと、現像剤漏れ抑制体であるローラ状の現像ローラ２７Ｙ，２７Ｙとを備えており、現像スリーブローラ１００Ｙは、現像ロータリ１０の回転による現像処理実行位置Ａへの位置設定に伴い、図１で説明した感光ドラム２と対面し、また現像スリーブローラ１００Ｙは、図４に示すように、接点１０２ａを介して電圧印加体（電圧供給源）１０１から電圧を印加することができる。さらに、現像コロ２７Ｙ，２７Ｙへは別の接点１０２ｂを介して別の電圧印加体（電圧供給源）１１１から電荷を印加することができる。
【００４８】
現像コロ２７Ｙ，２７Ｙはそれぞれ現像スリーブ軸方向における現像スリーブ両端部表面に当接又は近接配置され現像剤の吹き出しを抑制すると共に、帯電済みの現像剤と同極性の電圧が印加されて、各現像コロ２７Ｙ，２７Ｙへの現像剤吸着の抑制が図られている。
【００４９】
すなわち、本実施形態においては、現像剤が負極性を有することから、図４に示すように、電圧供給源１１１から現像コロ２７Ｙ，２７Ｙに負極性の電圧が印加されることで、負極性化した現像剤等の各現像コロ２７Ｙ，２７Ｙへの吸着が抑制される。
【００５０】
さらに、本実施形態においては、例えばイエロー潜像の可視化画像化終了に基づき現像器１０３Ｙが前述の現像処理実行位置Ａから退避し、接触子１０２ａ，１０２Ｙａ、並びに接触子１０２ｂ，１０２Ｙｂが互いに離間しあうことにより、現像器１０３Ｙ内に電荷残留が生じるが、次色の潜像開始可視化開始のため（例えばブラック潜像）現像器１０３Ｋが現像ロータリ１０の回転により現像処理実行位置Ａへ移動し停止する際、現像器１０３Ｙが残留電荷除電位置Ｂへ移動し、接触子１０５ａ，１０２Ｙａ、接触子１０５ｂ，１０２Ｙｂが互いに接触停止することにより、現像器１０３Ｙ内の残留電荷は、接触子１０５ａ，１０５ｂと接続されていて、かつその一端部が接地されている残留電荷除電体３００を介して除電されるようになっている。
【００５１】
よって、本実施形態においては、第１の実施形態と同様の効果が得られると共に、現像処理時に現像剤の漏れもしくは吹き出し、更に吸着抑制を維持することができるという利点が得られる。
【００５２】
なお、本実施形態では現像剤漏れ抑制体を用いて説明したが、現像剤漏れ抑制体がないものについても、第１の実施形態と同様の効果が得られることはいうまでもない。
【００５３】
（第４の実施形態）
次に、本発明の第４の実施形態を、図５の現像ロータリ１０と現像器１０３（Ｙ，Ｍ，Ｃ，Ｋ）の概略構成を示す模式的斜視図を参照して説明する。なお、本実施形態の画像形成装置の全体の概略構成は、第１の実施形態で説明した図１の構成と同様であるので、その説明を省略する。また、現像器１０３Ｙに関して図５に基づき説明を行い、以下他の現像器１０３Ｃ，１０３Ｍ，１０３Ｋの概略構成については、現像器１０３Ｙと同様であることから図５に代えて説明を省略する。また、以下第２の実施形態と共通個所は図３と同符号を付与することにより説明を省略する。
【００５４】
図５に示すように、本実施形態においては、例えばイエロー潜像の可視化画像化終了に基づき、現像器１０３Ｙが前述の現像処理実行位置Ａから退避し、接触子１０２ａ，１０２Ｙａ、並びに接触子１０２ｂ，１０２Ｙｂが互いに離間しあうことにより、現像器１０３Ｙ内に電荷残留が生じるが、次色の潜像開始可視化開始のため（例えばブラック潜像）現像器１０３Ｋが現像ロータリ１０の回転により現像処理実行位置Ａへ移動し停止する際、現像器１０３Ｙが残留電荷除電位置Ｂへ移動し、接触子１０５ａ，１０２Ｙａ、接触子１０５ｂ，１０２Ｙｂが互いに接触停止することにより、現像器１０３Ｙ内の残留電荷は、接触子１０５ａ，１０５ｂと接続されている残留電荷除電体３００により、残留電荷除電体３００と接続し他端が接地している抵抗２６を介して除電されるようになっている。
【００５５】
よって、本実施形態においては、第１の実施形態と同様の効果が得られると共に、現像処理時に現像剤の漏れもしくは吹き出し、更に吸着抑制を維持することができるという利点が得られる。
【００５６】
なお、本実施形態では現像剤漏れ抑制体を用いて説明したが、現像剤漏れ抑制体がないものについても、第１の実施形態と同様の効果が得られることはいうまでもない。
【００５７】
（第５の実施形態）
次に、本発明の第５の実施形態を、図６の現像ロータリ１０と現像器１０３（Ｙ，Ｍ，Ｃ，Ｋ）の概略構成を示す模式的斜視図を参照して説明する。なお、本実施形態の画像形成装置の全体の概略構成は、第１の実施形態で説明した図１の構成と同様であるので、その説明を省略する。また、現像器１０３Ｙに関して図６に基づき説明を行い、以下他の現像器１０３Ｃ，１０３Ｍ，１０３Ｋの概略構成については、現像器１０３Ｙと同様であることから図６に代えて説明を省略する。また、以下第２の実施形態と共通個所は図３と同符号を付与することにより説明を省略する。
【００５８】
図６に示すように、本実施形態においては、例えばイエロー潜像の可視化画像化終了に基づき、現像器１０３Ｙが前述の現像処理実行位置Ａから退避し、接触子１０２ａ，１０２Ｙａ、並びに接触子１０２ｂ，１０２Ｙｂが互いに離間しあうことにより、現像器１０３Ｙ内に電荷残留が生じるが、次色の潜像開始可視化開始のため（例えばブラック潜像）現像器１０３Ｋが現像ロータリ１０の回転により現像処理実行位置Ａへ移動し停止する際、現像器１０３Ｙが残留電荷除電位置Ｂへ移動し、接触子１０５ａ，１０２Ｙａ、接触子１０５ｂ，１０２Ｙｂが互いに接触停止することにより、現像器１０３Ｙ内の残留電荷は、接触子１０５ａ，１０５ｂと接続されている残留電荷除電体３００により、残留電荷除電体３００と接続し他端が接地している抵抗２６を介して除電されるようになっている。また残留電荷除電体３００に対して抵抗２６と並列接続され、一端部が接地しているコンデンサ３０により、接触子１０５ａ，１０２Ｙａ、接触子１０５ｂ，１０２Ｙｂが互いに接触停止し、残留電荷除電体３００への接触時の急激な電荷移動を制限する。
【００５９】
よって、本実施形態においては、第１の実施形態と同様の効果が得られると共に、現像処理時に現像剤の漏れもしくは吹き出し、更に吸着抑制を維持することができるという利点が得られる。
【００６０】
なお、本実施形態では現像剤漏れ抑制体を用いて説明したが、現像剤漏れ抑制体がないものについても、第１の実施形態と同様の効果が得られることはいうまでもない。
【００６１】
（第６の実施形態）
次に、本発明の第６の実施形態を、図７の現像ロータリ１０と現像器１０３（Ｙ，Ｍ，Ｃ，Ｋ）の概略構成を示す模式的斜視図を参照して説明する。なお、本実施形態の画像形成装置の全体の概略構成は、第１の実施形態で説明した図１の構成と同様であるので、その説明を省略する。また、現像器１０３Ｙに関して図７に基づき説明を行い、以下他の現像器１０３Ｃ，１０３Ｍ，１０３Ｋの概略構成については、現像器１０３Ｙと同様であることから図７に代えて説明を省略する。また、以下第２の実施形態と共通個所は図３と同符号を付与することにより説明を省略する。
【００６２】
図７に示すように、本実施形態においては、例えばイエロー潜像の可視化画像化終了に基づき、現像器１０３Ｙが前述の現像処理実行位置Ａから退避し、接触子１０２ａ，１０２Ｙａ、並びに接触子１０２ｂ，１０２Ｙｂが互いに離間しあうことにより、現像器１０３Ｙ内に電荷残留が生じるが、次色の潜像開始可視化開始のため（例えばブラック潜像）現像器１０３Ｋが現像ロータリ１０の回転により現像処理実行位置Ａへ移動し停止する際、現像器１０３Ｙが残留電荷除電位置Ｂへ移動し、接触子１０５ａ，１０２Ｙａ、接触子１０５ｂ，１０２Ｙｂが互いに接触停止することにより、現像器１０３Ｙ内の残留電荷は、接触子１０５ａ，１０５ｂと接続されている残留電荷除電体３００により、残留電荷除電体３００の一端部と大地間に直列に接続している抵抗２６及びツェナーダイオード２８を介して除電される。またツェナーダイオード２８の特性により上記の残留電荷の一部が現像剤漏れ抑制体２７等を介し残留され、現像材漏れ抑制効果を持続させることができる。
【００６３】
よって、本実施形態においては、第１の実施形態と同様の効果が得られると共に、現像処理時に現像剤の漏れもしくは吹き出し、更に吸着抑制を維持することができるという利点が得られる。
【００６４】
なお、本実施形態では現像剤漏れ抑制体を用いて説明したが、現像剤漏れ抑制体がないものについては、火花放電の生じないレベルの一定電圧の残留電荷により、現像スリーブローラ１００からの現像材落下を抑制することができかつ、第１の実施形態と同様の効果が得られることはいうまでもない。
【００６５】
（第７の実施形態）
次に、本発明の第７の実施形態を、図８の現像ロータリ１０と現像器１０３（Ｙ，Ｍ，Ｃ，Ｋ）の概略構成を示す模式的斜視図を参照して説明する。なお、本実施形態の画像形成装置の全体の概略構成は、第１の実施形態で説明した図１の構成と同様であるので、その説明を省略する。また、現像器１０３Ｙに関して図８に基づき説明を行い、以下他の現像器１０３Ｃ，１０３Ｍ，１０３Ｋの概略構成については、現像器１０３Ｙと同様であることから図８に代えて説明を省略する。また、以下第２の実施形態と共通個所は図３と同符号を付与することにより説明を省略する。
【００６６】
図８に示すように、本実施形態においては、例えばイエロー潜像の可視化画像化終了に基づき、現像器１０３Ｙが前述の現像処理実行位置Ａから退避し、接触子１０２ａ，１０２Ｙａ、並びに接触子１０２ｂ，１０２Ｙｂが互いに離間しあうことにより、現像器１０３Ｙ内に電荷残留が生じるが、次色の潜像開始可視化開始のため（例えばブラック潜像）現像器１０３Ｋが現像ロータリ１０の回転により現像処理実行位置Ａへ移動し停止する際、現像器１０３Ｙが残留電荷除電位置Ｂへ移動し、接触子１０５ａ，１０２Ｙａ、接触子１０５ｂ，１０２Ｙｂが互いに接触停止することにより、現像器１０３Ｙ内の残留電荷は、接触子１０５ａ，１０５ｂと接続されている残留電荷除電体３００により、残留電荷除電体３００と接続し他端が接地している、複数の電気素子からなる合成負荷２９を介して除電される。また合成負荷２９は、前述の第１〜第６の実施形態のいずれかの効果を満たすよう構成されている。
【００６７】
よって、本実施形態においては、第１の実施形態と同様の効果が得られると共に、現像処理時に現像剤の漏れもしくは吹き出し、更に吸着抑制を維持することができるという利点が得られる。
【００６８】
なお、本実施形態では現像剤漏れ抑制体を用いて説明したが、現像剤漏れ抑制体がないものについては、火花放電の生じないレベルの一定電圧の残留電荷により、現像スリーブローラ１００からの現像材落下を抑制することができかつ、第１の実施形態と同様の効果が得られることはいうまでもない。
【００６９】
（他の実施の形態）
以上、本発明の実施形態を詳述したが、本発明は、複数の機器から構成されるシステムに適用しても良いし、１つの機器からなる装置に適用してもよい。
【００７０】
【発明の効果】
以上説明したように、本発明の第１の形態によれば、現像処理中に電圧印加体により現像スリーブローラを介して帯電される現像剤の電荷であって、現像処理後に現像剤が持つ残留電荷を、次回現像処理再開までに残留電荷除電体により除電するので、現像処理再開に伴う接触子の接触による火花放電を確実に防止することができる。
【００７１】
また、本発明の第２の形態によれば、帯電済みの現像剤と同極性の電圧を現像剤漏れ抑制体へ印加するので、現像剤漏れ抑制体への現像剤の吸着を抑制すると共に、現像剤の漏れを抑制することができ、また現像処理中に電圧印加体により現像スリーブローラを介して帯電される現像剤の電荷であって、現像処理後に現像剤が持つ残留電荷を、次回現像処理再開までに残留電荷除電体により除電するので、現像処理再開に伴う接触子の接触による火花放電を確実に防止することができる。
【００７２】
更に、本発明の第３の形態によれば、現像処理中に電圧印加体により現像スリーブローラ及び現像剤漏れ抑制体を介して帯電される現像剤の電荷であって、現像処理後に現像剤が持つ残留電荷を、次回現像処理再開までに一端部を接地した残留電荷除電体により除電するので、現像処理再開に伴う接触子の接触による火花放電を確実に防止することができる。
【００７３】
また、本発明の第４の形態によれば、現像処理中に電圧印加体により現像スリーブローラ及び現像剤漏れ抑制体を介して帯電される現像剤の電荷であって、現像処理後に現像剤が持つ残留電荷を、次回現像処理再開までに一端部を接地した抵抗を介した残留電荷除電体により除電するので、現像処理再開に伴う接触子の接触による火花放電を確実に防止することができる。
【００７４】
更に、本発明の第５の形態によれば、現像処理中に電圧印加体により現像スリーブローラ及び現像剤漏れ抑制体を介して帯電される現像剤の電荷であって、現像処理後に現像剤が持つ残留電荷を、次回現像処理再開までに一端部を接地した抵抗及びコンデンサを介した残留電荷除電体により除電するので、現像処理再開に伴う接触子の接触による火花放電を確実に防止することができる。
【００７５】
また、本発明の第６の形態によれば、現像処理中に電圧印加体により現像スリーブローラ及び現像剤漏れ抑制体を介し帯電される現像剤の電荷であって、現像処理後に現像剤が持つ残留電荷を、次回現像処理再開までに一端部を接地したツェナーダイオードとさらに抵抗を介した残留電荷除電体により除電するので、現像処理再開に伴う接触子の接触による火花放電を確実に防止することができる。
【００７６】
更に、本発明の第７の形態によれば、現像処理中に電圧印加体により現像スリーブローラ及び現像剤漏れ抑制体を介し帯電される現像剤の電荷であって、現像処理後に現像剤の持つ残留電荷を、次回現像処理再開までに一端部を接地した複数の電気素子からなる合成負荷を介した残留電荷除電体により除電するので、現像処理再開に伴う接触子の接触による火花放電を確実に防止することができる。
【図面の簡単な説明】
【図１】本発明の第１〜第７の実施形態に係る画像形成装置の概略構成を示す模式的断面図である。
【図２】本発明の第１の実施形態に係る現像器周辺の概略構成を示す模式的斜視図である。
【図３】本発明の第２の実施形態に係る現像器周辺の概略構成を示す模式的斜視図である。
【図４】本発明の第３の実施形態に係る現像器周辺の概略構成を示す模式的斜視図である。
【図５】本発明の第４の実施形態に係る現像器周辺の概略構成を示す模式的斜視図である。
【図６】本発明の第５の実施形態に係る現像器周辺の概略構成を示す模式的斜視図である。
【図７】本発明の第６の実施形態に係る現像器周辺の概略構成を示す模式的斜視図である。
【図８】本発明の第７の実施形態に係る現像器周辺の概略構成を示す模式的斜視図である。
【図９】従来の現像器の一例の概略構成を示す模式的斜視図である。
【図１０】従来の現像器の他の例の概略構成を示す模式的斜視図である。
【図１１】従来の現像器の更に他の例の概略構成を示す模式的斜視図である。
【図１２】従来の現像器保持体の一例の概略構成を示す模式的斜視図である。
【符号の説明】
２　感光ドラム
５　像坦持体
６　転写及び搬送ベルト
７　定着ユニット
８　帯電器
９　光学ユニット
１０　現像ロータリ
１１　クリーナ
１２　マルチ給紙トレイ
１３、１４、１５、１６　転写材保持体
１７　除電針
１８　クリーニングローラ
１９　上部排紙トレイ
２０　下部排紙トレイ
２１　両面ユニットのスイッチバックローラ
２６　抵抗
２７　現像コロ
２８　ツェナーダイオード
２９　合成負荷
３０　コンデンサ
８０　転写材搬送経路
１００　現像スリーブローラ（現像剤担持体）
１０１　電圧印加体（電力供給源）
１０２　接触子（高圧接点、接点）
１０５　接触子（接点）
１０３Ｙ、１０３Ｍ、１０３Ｃ、１０３Ｋ　色現像器
１０８　現像器選択機構部
１１１　電圧印加体
２００　現像剤漏れ抑制体（諸現像剤対策部材、トナー諸対策ローラ）
２０１　コンデンサ
２０２　ＡＣ高圧印加にダイオード
２２０　トナー漏れ抑制ブレード
３００　残留電荷除電体
【図１】
2004109944.tif 000003
【図２】
2004109944.tif 000004
【図３】
2004109944.tif 000005
【図４】
2004109944.tif 000006
【図５】
2004109944.tif 000007
【図６】
2004109944.tif 000008
【図７】
2004109944.tif 000009
【図８】
2004109944.tif 000010
【図９】
2004109944.tif 000011
【図１０】
2004109944.tif 000012
【図１１】
2004109944.tif 000013
【図１２】
2004109944.tif 000014